(57)【要約】【課題】嵩が小さく、伝言メモの紛失がなく、写し書きすれば紛失しても再現ができ、伝言メモの履歴管理もでき、処理済み用紙を容易に廃棄でき、綴じ位置を使用者の好みや使用環境や人体特性等により変更可能とする。【解決手段】電話伝言メモなどを記載するメモ用紙１であって、方形状などの用紙２を備え、用紙には四隅を切断した切欠部２ａが形成され、用紙の表面２ｂ及び裏面２ｃには１件分の伝言メモを記載するメモ欄２ｄが複数個印刷され、用紙を相互に分離できる状態で複数枚積層し、切欠部のいずれかにクリップ３を着脱自在に嵌合させて冊子状とする。クリップは断面略コ字状をしており、内壁に囲まれた空間内に向けて弾性凸片３ａが設けられ、内壁に囲まれた空間内に複数枚の用紙２が挿入され、弾性凸片３ａの弾性力などにより用紙の抜け止めが図られる。用紙が再生紙、メモ欄の印刷インクがＳＯＹインクである。【選択図】図１
2008068457.tif 000002
【特許請求の範囲】
【請求項１】
電話伝言メモなどを記載するメモ用紙であって、方形状、多角形状、円形状の用紙を備え、当該用紙にはその四隅、隅部又は外縁の一部を切断した切欠部が形成され、前記用紙の表面及び裏面には１件分の伝言メモを記載するメモ欄が複数個印刷されていることを特徴とするメモ用紙。
【請求項２】
前記用紙を相互に分離できる状態で複数枚積層し、前記切欠部のいずれかに結束用のクリップを着脱自在に嵌合させて冊子状としたことを特徴とする請求項１記載のメモ用紙。
【請求項３】
前記クリップが断面略コ字状をしており、その内壁の開放先端部付近から内壁に囲まれた空間内に向けて弾性凸片が突設され、前記内壁に囲まれた空間内に複数枚の前記用紙が挿入され、前記弾性凸片の弾性力により前記用紙の抜け止めが図られることを特徴とする請求項１記載のメモ用紙。
【請求項４】
前記用紙が再生紙からなり、前記メモ欄の印刷インクがＳＯＹインクからなることを特徴とする請求項１記載のメモ用紙。
【発明の詳細な説明】
【技術分野】
【０００１】
本発明は、電話伝言メモなどを記載して管理するためのメモ用紙に関する。
【背景技術】
【０００２】
従来のメモ用紙としては、一件一様形式のメモ用紙を切り離し自在に糊付けしたものや、メモ用紙を容易に分離できないように綴じたノート式のメモ用紙（メモ帳）などがある。
【発明の開示】
【発明が解決しようとする課題】
【０００３】
しかしながら、従来の一件一様形式のメモ用紙ではメモ用紙がかさばり、切り離し式であるメモ用紙では、メモ用紙自体を紛失してしまうこともあり、紛失してしまうともはや伝言内容を再現することができず、しかも、切り離して手渡してしまうと原本がないので伝言メモの履歴管理もできない。
【０００４】
従来のメモ用紙を綴じたノート式のメモ用紙では、処理済みの電話伝言メモを容易にかつ綺麗に除却することができず、綴じ位置が左右いずれかの規定の位置になっているので、メモ用紙の使用に際して使用者の好みや使用環境や人体特性などを反映することができず使用者にとって不便であると感じる場合がある。
【０００５】
本発明は、かかる事情に鑑みてなされたもので、嵩が小さくでき、伝言メモの紛失が防止でき、写し書きをして渡した場合にも原本が残るので伝言メモを紛失しても再現が可能であり、伝言の履歴管理もでき、処理済みの伝言メモだけが記載された用紙のみを容易にかつ綺麗に除却して廃棄することができ、綴じ位置を使用者の好みや使用環境や人体特性などに応じて変更できるメモ用紙を提供することを目的とする。
【課題を解決するための手段】
【０００６】
（１）本発明の請求項１記載のメモ用紙は、電話伝言メモなどを記載するメモ用紙であって、方形状、多角形状、円形状の用紙を備え、当該用紙にはその四隅、隅部又は外縁の一部を切断した切欠部が形成され、前記用紙の表面及び裏面には１件分の伝言メモを記載するメモ欄が複数個印刷されていることを特徴とする。
（２）本発明の請求項２記載のメモ用紙は、前記用紙を相互に分離できる状態で複数枚積層し、前記切欠部のいずれかに結束用のクリップを着脱自在に嵌合させて冊子状としたことを特徴とする。
（３）本発明の請求項３記載のメモ用紙は、前記クリップが断面略コ字状をしており、その内壁の開放先端部付近から内壁に囲まれた空間内に向けて弾性凸片が突設され、前記内壁に囲まれた空間内に複数枚の前記用紙が挿入され、前記弾性凸片の弾性力により前記用紙の抜け止めが図られることを特徴とする。
（４）本発明の請求項４記載のメモ用紙は、前記用紙が再生紙からなり、メモ欄の印刷インクがＳＯＹインクからなることを特徴とする。
【発明の効果】
【０００７】
（１）用紙に印刷された複数のメモ欄に伝言メモを記載できるので、メモ用紙の嵩が大きくなることが無く、伝言メモの紛失が防止でき、本発明のメモ用紙から写し書きして手渡した場合にもメモ用紙が原本として残るので伝言メモの再現が可能であり、伝言メモの履歴管理もできる。また、用紙の四隅などに切欠部が形成されているので、切欠部が形成されていない例えば角がある用紙に比べてクリップを非常に取り付け易く、クリップにより結束された用紙の頁めくりも極めてスムーズに行える。
（２）複数枚の用紙を切欠部のいずれかにクリップを嵌合させることにより冊子状にして使用でき、処理済みの電話伝言メモだけとなった用紙のみを容易にかつ綺麗に除却して廃棄でき、しかも、クリップの嵌合位置を使用者の好みや使用環境や人体特性などに応じて変更できる。
（３）コ字状のクリップの内壁に囲まれた空間に複数枚に積層された用紙を挿入し内壁の開放先端部から内壁に向けて突設された弾性凸片などにより用紙の抜け止めが図られ、クリップを取り外すことにより容易に用紙の抜き取りや差し替えができる。
（４）再生紙とＳＯＹインクとを使用しているので、使用後の処理が容易で地球環境にも優しい製品である。
【発明を実施するための最良の形態】
【０００８】
以下に、図面を参照して本発明の実施の形態に係るメモ用紙について説明する。
【０００９】
本実施の形態に係るメモ用紙１は、電話伝言メモなどを記載するメモ用紙である。本メモ用紙１は、図１及び図２に示すように、方形状の用紙２を備え、その用紙２にはその四隅を切断した切欠部２ａが形成され、用紙２の表面２ｂ及び裏面２ｃには１件分の伝言メモを記載するメモ欄２ｄが複数個印刷されている。
【００１０】
メモ欄２ｄは、枠線で囲まれたセルからなり、複数のセルを縦横にマトリックス状（図では２列×５行＝１０個）に配置・印刷されている。メモ欄２ｄは、図３に示すように、伝言を受けた日付を記入するための日付記入部２ｅと、伝言者の会社名を記入するための会社名記入部２ｆと、伝言者の氏名を記入するための氏名記入部２ｇと、伝言者の電話番号を記入するための電話番号記入部２ｈとが各項目を記入するためのスペースを空けて予め印刷されている。日付記入部２ｅなどと電話番号記入部２ｈとの間には伝言内容を記入するための伝言記入部２ｊが形成されている。
【００１１】
用紙２は相互に分離できる状態で複数枚積層され、切欠部２ａのいずれかにクリップ３を着脱自在に嵌合させて冊子状にし使用される（図５（ａ），（ｂ）参照）。
【００１２】
クリップ３は、弾性変形可能はプラスチック材料などから形成され、図４に示すように、断面略コ字状をしており、その内壁の開放先端部付近から内壁に囲まれた空間内に向けて弾性凸片３ａが突設され、弾性凸片３ａの先端部が対向する内壁には弾性凸片３ａの先端部を挟むように２本の凸条３ｂが形成されている。内壁に囲まれた空間内に複数枚の用紙２を挿入すると弾性凸片３ａと凸片３ｂとにより弾性的に挟持されて抜け止めが図られる。
【００１３】
用紙２には再生紙が使用され、メモ欄２ｄを印刷する印刷インクとしてＳＯＹインクが使用されている。
【００１４】
次に、本実施の一形態に係るメモ用紙の使用方法及び作用について図５及び図６に基づいて説明する。
【００１５】
図１及び図２に示す用紙２を複数枚（通常１０枚〜１５枚）相互に分離できる状態で積層し、切欠部２ａのいずれかにクリップ３を嵌合させて冊子状にする。クリップ３は、用紙２に形成された切欠部２ａに嵌合させるので、切欠部のない例えば方形状の角が形成されたものに比べてクリップ３を極めて容易に切欠部２ａに嵌合させることができる。なお、冊子状にした状態で商品として販売しても、用紙２とクリップ３とを同封して使用者にクリップ３を取り付けて貰うようにしても良い。
【００１６】
クリップ３を嵌合させる切欠部２ａを、例えば、図５（ａ），（ｂ）に示すように、使用者の好みや使用環境や人体特性などに応じて変更することができる。ちなみに、同図（ａ）は右綴じにした状態を示し、（ｂ）は左綴じにした状態を示す。
【００１７】
図６に示すように、電話を受けた場合（場合によっては訪問を受けた場合）に、伝言を受けた日付や、伝言者の会社名や、伝言者の氏名（又は氏のみ）を鉛筆やボールペンなどの筆記用具を用いてメモ欄２ｄの該当欄に記入する。
【００１８】
次いで、伝言内容を伝言記入部２ｊに記入し、必要に応じてだれ宛の伝言であるか若しくは伝言者の連絡先電話番号などの情報を記入する。以上のように、伝言事由が発生するたびに、本メモ用紙１のメモ欄２ｄに順次必要事項を記入していくことにより、伝言メモの履歴が残る。
【００１９】
伝言を受ける者が特定されており、伝言の宛先者が複数人いる場合には、必要に応じてメモ欄２ｄの記載内容に応じて別途メモを作成して伝言の宛先者に手渡しなどの方法により回送するとともに、伝言内容が分からなくならない程度に、チェックマークｃ（ここでは、レ印又はＶ印が用いられる。）をメモ欄２ｄの伝言記入部２ｊに記入して、伝言済であることを明示する。チェックマークｃにより処理済みのものと未処理のものとが明確に区別されるので、処理忘れが無くなる。
【００２０】
別の使い方として、伝言の宛先者が１人のときのような場合（宛先者のデスク上に宛先者専用の冊子状のメモ用紙１が置かれているような場合）には、伝言を受けたものが宛先者のデスク上のメモ用紙１のメモ欄２ｄに伝言メモを記入する。そして、宛先者がデスクに戻って処理を済ませたものに、前述と同様に、伝言内容が分からなくならない程度に、チェックマークｃをメモ欄２ｄの伝言記入部２ｊに記入して、伝言済であることを明確にする。このものでも前述したのと同様に、チェックマークｃにより処理忘れが無くなる。
【００２１】
本メモ用紙１では、用紙２に印刷された複数のメモ欄２ｄに伝言メモを記載できるので、メモ用紙の嵩が大きくならず、伝言メモの紛失が防止でき、本メモ用紙１から写し書きして手渡した場合にも本メモ用紙１が原本として残るので紛失時でも再現が可能であり、さらに伝言メモの履歴管理も行うことができる。
【００２２】
複数枚の用紙２を四隅の切欠部２ａのいずれかにクリップ３を嵌合させることにより冊子状にして使用でき、処理済みの電話伝言メモだけとなった用紙のみを容易にかつ綺麗に除却して廃棄でき、クリップ３の嵌合位置を使用者の好みや使用環境や人体特性などに応じて変更することができ、前述のようなクリップ３を使用すればフラットで付け易くかつめくりやすい。
【００２３】
クリップ３の弾性凸片３ａと２本の凸条３ｂとの間に用紙２が挟持されるので、内壁に囲まれた空間内に挿入された複数枚のメモ用紙１は弾性凸片３ａと凸片３ｂとクリップ３の内壁との間に弾性的に挟持され用紙２の抜け止めが図られる。ノート式のように用紙２は綴られていないので、容易に用紙の抜き取りや差し替えを行うことができ、表裏共にチェックマークｃが付いて処理済みで廃棄可能な用紙２はクリップ３を外して当該用紙２を取り外してシュレッダーで裁断することができ、セキュリティやプライバシーの保護を図ることができる。クリップ３を外す場合には、クリップ３の凸条３ｂの延設方向に沿ってクリップ３をスライドさせることにより簡単に用紙２の束から外すことができる。
【００２４】
用紙２のメモ欄２ｄは、日付記入部２ｅ、会社名記入部２ｆ、氏名記入部２ｇ、電話番号記入部２ｈ、空白の伝言記入部２ｊという記入事項を絞ってあるので、記入者が迷うことなく伝言に必要最小限の事項を記入・記録することができる。なお、これらの記入事項の削除や別の記入事項の追加などの変更してもよいことは言うまでもない。
【００２５】
本メモ用紙１は、再生紙とＳＯＹインクとを使用しているので、使用後の処理が容易で地球環境にも優しい製品である。
【００２６】
なお、上述の実施の形態に係るメモ用紙１では、方形状の用紙２を用いているが、使用に支障がない範囲内であれば、多角形状や円形状（楕円形やハート型なども含む。）のものであってもよい。
【００２７】
クリップ３の構造は用紙２を束ねてめくり易いものであれば、他の構造や形状や材料のものであってもよい。
【図面の簡単な説明】
【００２８】
【図１】本発明の実施の一形態に係るメモ用紙の表面を示す図である。
【図２】本発明の実施の一形態に係るメモ用紙の裏面を示す図である。
【図３】本発明の実施の一形態に係るメモ用紙のメモ欄を示す拡大図である。
【図４】本発明の実施の一形態に係るメモ用紙に用いられるクリップを示す図である。
【図５】本発明の実施の一形態に係るメモ用紙の使用状態を示す図である。
【図６】本発明の実施の一形態に係るメモ用紙の使用状態を示す拡大図である。
【符号の説明】
【００２９】
１    メモ用紙
２    用紙
２ａ  切欠部
２ｂ  表面
２ｃ  裏面
２ｄ  メモ欄
２ｅ  日付記入部
２ｆ  会社名記入部
２ｇ  氏名記入部
２ｈ  電話番号記入部
２ｊ  伝言記入部
３    クリップ
３ａ  弾性凸片
３ｂ  凸条
ｃ    チェックマーク
【図１】
2008068457.tif 000003
【図２】
2008068457.tif 000004
【図３】
2008068457.tif 000005
【図４】
2008068457.tif 000006
【図５】
2008068457.tif 000007
【図６】
2008068457.tif 000008